(57)【要約】【課題】複数の画面を表示（デュアル・ビュー表示等）可能な携帯型電子機器において、複数の画面中からアクティブ画面を容易に選択することを可能ならしめる。【解決手段】第１画面と第２画面を含む互いに異なる複数の画面を表示可能な表示装置１１と、所定面に対する携帯型電子機器１の傾き、または、携帯型電子機器１の加速度を計測するセンサ１５と、センサ１５の計測結果に基づいて、前記複数の画面の内からアクティブ画面を自動的に選択する制御部１３と、を備えている。例えば、機器を左に傾けると第１画面がアクティブとなり、機器を右に傾けると第２画面がアクティブとなる。【選択図】図１
2007206108.tif 000002
【特許請求の範囲】
【請求項１】
第１視野角方向から視認することのできる画面と前記第１視野角方向と異なる第２視野角方向から視認することのできる画面とを含む、互いに異なる複数の画面を表示可能な表示手段を備えた携帯型電子機器であって、
所定面に対する当該携帯型電子機器の傾き、または、当該携帯型電子機器の加速度を計測するセンサと、
前記センサの計測結果に基づいて、前記複数の画面の内からアクティブ画面を自動的に選択し、他の画面を非アクティブ画面とする制御手段と、を備えている
ことを特徴とする携帯型電子機器。
【請求項２】
前記制御手段は、前記センサの計測値と所定の閾値との比較結果に基づいて、前記アクティブ画面の選択を行う
ことを特徴とする請求項１に記載の携帯型電子機器。
【請求項３】
前記閾値を設定するための閾値設定手段を更に備え、
前記閾値を変更可能としている
ことを特徴とする請求項２に記載の携帯型電子機器。
【請求項４】
外部からの操作を受け付ける操作受付手段を更に備え、
前記操作受付手段によって受け付けられた操作は、前記アクティブ画面上の操作として取り扱われる
ことを特徴とする請求項１〜請求項３の何れかに記載の携帯型電子機器。
【請求項５】
前記操作受付手段を用いた前記アクティブ画面上の操作によって、前記非アクティブ画面の表示画像を変化させることが可能である
ことを特徴とする請求項４に記載の携帯型電子機器。
【請求項６】
前記非アクティブ画面に表示すべき画像の画像データを保持する画像データ保持手段を更に備えている
ことを特徴とする請求項１〜請求項５の何れかに記載の携帯型電子機器。
【請求項７】
前記画像データ保持手段は、前記非アクティブ画面に表示すべき画像の画像データとして与えられた最新の画像データを保持し、
前記非アクティブ画面には、その最新の画像データによる画像が表示される
ことを特徴とする請求項６に記載の携帯型電子機器。
【請求項８】
前記制御手段は、前記アクティブ画面に表示している画像を、前記非アクティブ画面に表示すべき画像として転送可能である
ことを特徴とする請求項１〜請求項７の何れかに記載の携帯型電子機器。
【請求項９】
他の携帯型電子機器と通信を行うための通信手段を更に備え、
前記制御手段は、前記通信手段を用いて、前記非アクティブ画面に他の携帯型電子機器の表示画像を表示可能である
ことを特徴とする請求項１〜請求項８の何れかに記載の携帯型電子機器。
【請求項１０】
外景を撮影するための撮像手段を更に備え、
前記撮影手段による撮影を行う撮影モードにおいて、前記制御手段は、現在の撮影対象を表す画像とは異なる、当該携帯型電子機器に格納された画像または外部から取り込まれた画像を、前記非アクティブ画面に表示させる
ことを特徴とする請求項１〜請求項９の何れかに記載の携帯型電子機器。
【請求項１１】
前記撮影モードにおいて、前記制御手段による前記アクティブ画面の自動的な選択動作の実行は禁止される
ことを特徴とする請求項１０に記載の携帯型電子機器。
【請求項１２】
前記表示手段は、前記複数の画面を表示する複数画面表示モード及び単一の画面のみを表示する単画面表示モードの何れかの表示モードにて動作可能となっていて、
当該携帯型電子機器は、前記表示手段を複数画面表示モード及び単画面表示モードの何れにて動作させるかを選択するための表示モード選択手段を更に備えている
ことを特徴とする請求項１〜請求項１１の何れかに記載の携帯型電子機器。
【請求項１３】
当該携帯型電子機器が、折り畳み可能な筐体を備えて構成されている場合、
前記表示モード選択手段は、該筐体が折り畳まれている状態において、前記表示手段の表示モードを単画面表示モードにする
ことを特徴とする請求項１２に記載の携帯型電子機器。
【請求項１４】
前記表示モード選択手段は、前記表示手段の表示モードを選択するためのワンタッチキーを備えて構成されている
ことを特徴とする請求項１２または請求項１３に記載の携帯型電子機器。
【請求項１５】
前記センサの計測結果に基づく前記制御手段による前記アクティブ画面の自動的な選択動作の実行を禁止して、手動による前記アクティブ画面の選択を可能とするための自動手動変更手段を更に備えている
ことを特徴とする請求項１〜請求項１４の何れかに記載の携帯型電子機器。
【請求項１６】
前記複数の画面中の各画面に、互いに異なるタスクを割り当ててマルチタスク動作を可能とする
ことを特徴とする請求項１〜請求項１５の何れかに記載の携帯型電子機器。
【発明の詳細な説明】
【技術分野】
【０００１】
本発明は、携帯電話機、携帯情報端末、デジタルビデオカメラ及びデジタルスチルカメラ等の携帯型電子機器（携帯端末）に関し、特に、複数の画面を表示可能な表示手段を備えた携帯型電子機器に関する。
【背景技術】
【０００２】
現在、パーソナルコンピュータ等では、１つの表示装置に複数のウィンドウが同時に表示されることが多い。ユーザは、何れかのウィンドウを選択してアクティブにし、アクティブになったウィンドウに対して所望の操作を行う。
【０００３】
しかしながら、表示エリアの比較的狭い画面を有する携帯電話機等の携帯型電子機器において、一画面中に複数のウィンドウを同時に表示すると、各々のウィンドウが小さくなって視認性に問題が生じうる。
【０００４】
これを考慮し、複数の表示装置を設けた携帯電話機も提案されている（例えば、下記特許文献１参照）。
【０００５】
一方、左右２方向に異なる情報（画像）を同時に表示する、所謂デュアル・ビュー表示機能を有した表示装置が提案され（例えば、下記特許文献２及び３参照）、商品化に向けた開発が盛んである。デュアル・ビュー表示機能を備えた表示装置を用いれば、表示装置の左側に位置するユーザが映画の映像を視聴しながら、表示装置の右側に位置するユーザがデジタルスチルカメラで撮影した画像を編集する、といったことが可能となる。
【０００６】
【特許文献１】特開２００４−２１５２７３号公報
【特許文献２】特開２００３−１７７３５７号公報
【特許文献３】特開２００５−２８４５９２号公報
【発明の開示】
【発明が解決しようとする課題】
【０００７】
従来の複数の表示装置を設けた携帯電話機では、複数の画面が単に並べられているだけであるため、携帯電話機自体の大きさが大きくなるという欠点がある。
【０００８】
携帯電話機のような機器の大きさに制限がある携帯型電子機器において、例えば、デュアル・ビュー表示装置を用いることにより、１つの表示装置にて複数の画面を表示できるようにすれば、機器を小さく保ちつつより多くの情報を表示することが可能となるため、非常に有用である。デュアル・ビュー表示装置等を用いた場合、ユーザは、複数の画面の内の何れかの画面を選択してアクティブ画面とし、例えば、該アクティブ画面上で所望の操作を行ったりすることになる。
【０００９】
そのような場合、ユーザが操作したいと思う画面、或いは、着目しようとする画面（即ち、アクティブ画面）を、上記複数の画面の中から、容易に選択できるようにすることは肝要である。
【００１０】
本発明は、上記の点に鑑み、複数の画面中からアクティブ画面を容易に選択することを可能ならしめる携帯型電子機器を提供することを目的とする。
【課題を解決するための手段】
【００１１】
上記目的を達成するために本発明に係る携帯型電子機器は、第１視野角方向から視認することのできる画面と前記第１視野角方向と異なる第２視野角方向から視認することのできる画面とを含む、互いに異なる複数の画面を表示可能な表示手段を備えた携帯型電子機器であって、所定面に対する当該携帯型電子機器の傾き、または、当該携帯型電子機器の加速度を計測するセンサと、前記センサの計測結果に基づいて、前記複数の画面の内からアクティブ画面を自動的に選択し、他の画面を非アクティブ画面とする制御手段と、を備えていることを特徴とする。
【００１２】
これにより、機器を小さく保ったまま複数画面表示が可能となる。そして、携帯型電子機器を傾けるなどの簡易な操作によってアクティブ画面を選択することが可能となり、ユーザにとっての利便性が高まる。
【００１３】
具体的には例えば、前記制御手段は、前記センサの計測値と所定の閾値との比較結果に基づいて、前記アクティブ画面の選択を行う。
【００１４】
そして例えば、前記閾値を設定するための閾値設定手段を更に備え、前記閾値を変更可能としている。
【００１５】
また、具体的には例えば、外部からの操作を受け付ける操作受付手段を更に備え、前記操作受付手段によって受け付けられた操作は、前記アクティブ画面上の操作として取り扱われる。
【００１６】
そして例えば、前記操作受付手段を用いた前記アクティブ画面上の操作によって、前記非アクティブ画面の表示画像を変化させることが可能である。
【００１７】
また、具体的には例えば、前記非アクティブ画面に表示すべき画像の画像データを保持する画像データ保持手段を更に備えている。
【００１８】
そして例えば、前記画像データ保持手段は、前記非アクティブ画面に表示すべき画像の画像データとして与えられた最新の画像データを保持し、前記非アクティブ画面には、その最新の画像データによる画像が表示される。
【００１９】
上記のような画像データ保持手段を設けることにより、非アクティブ画面を参照しながらの作業が容易となる。
【００２０】
また例えば、前記制御手段は、前記アクティブ画面に表示している画像を、前記非アクティブ画面に表示すべき画像として転送可能である。
【００２１】
これにより、例えば、受信メールやＷｅｂページを参照しながらのメール作成の容易化などが期待できる。
【００２２】
また例えば、他の携帯型電子機器と通信を行うための通信手段を更に備え、前記制御手段は、前記通信手段を用いて、前記非アクティブ画面に他の携帯型電子機器の表示画像を表示可能である。
【００２３】
これにより、例えば、他の携帯型電子機器との共同作業などの容易化が期待できる。
【００２４】
また例えば、外景を撮影するための撮像手段を更に備え、前記撮影手段による撮影を行う撮影モードにおいて、前記制御手段は、現在の撮影対象を表す画像とは異なる、当該携帯型電子機器に格納された画像または外部から取り込まれた画像を、前記非アクティブ画面に表示させる。
【００２５】
これにより、非アクティブ画面上の画像を参照しながらの撮影が可能となり、ユーザにとっての利便性が高まる。
【００２６】
そして例えば、前記撮影モードにおいて、前記制御手段による前記アクティブ画面の自動的な選択動作の実行は禁止される。
【００２７】
また例えば、前記表示手段は、前記複数の画面を表示する複数画面表示モード及び単一の画面のみを表示する単画面表示モードの何れかの表示モードにて動作可能となっていて、  当該携帯型電子機器は、前記表示手段を複数画面表示モード及び単画面表示モードの何れにて動作させるかを選択するための表示モード選択手段を更に備えている。
【００２８】
そして例えば、当該携帯型電子機器が、折り畳み可能な筐体を備えて構成されている場合、前記表示モード選択手段は、該筐体が折り畳まれている状態において、前記表示手段の表示モードを単画面表示モードにする。
【００２９】
更に例えば、前記表示モード選択手段は、前記表示手段の表示モードを選択するためのワンタッチキーを備えて構成されている。
【００３０】
また例えば、前記センサの計測結果に基づく前記制御手段による前記アクティブ画面の自動的な選択動作の実行を禁止して、手動による前記アクティブ画面の選択を可能とするための自動手動変更手段を更に備えている。
【００３１】
また例えば、前記複数の画面中の各画面に、互いに異なるタスクを割り当ててマルチタスク動作を可能とする。
【発明の効果】
【００３２】
上述した通り、本発明に係る携帯型電子機器によれば、機器を小さく保ったまま複数画面表示が可能となる。そして、携帯型電子機器を傾けるなどの簡易な操作によってアクティブ画面を選択することが可能となり、ユーザにとっての利便性が高まる。
【発明を実施するための最良の形態】
【００３３】
以下、本発明に係る携帯型電子機器（携帯端末）の実施の形態につき、図面を参照して具体的に説明する。本実施形態では、携帯型電子機器として携帯電話機を例に挙げる。また、本実施形態では、携帯電話機が折り畳み式の筐体を持っている場合を例に挙げる。図１は、本実施形態に係る携帯電話機１の概略構成ブロック図である。
【００３４】
図１の携帯電話機１は、表示装置１１、ＲＡＭ(Random Access Memory)１２ａ及び１２ｂ、制御部１３、通信部１４、センサ１５、キー入力部１６、カメラ１７、メモリ１８及び折り畳み検知部１９を、有して構成される。
【００３５】
図２は、携帯電話機１の外観図である。携帯電話機１はヒンジ等を介して折り畳み可能な筐体２を備えている。図１に示す各部（表示装置１１等）は、その筐体２内に配置される。図２（ａ）及び（ｂ）は、それぞれ、その折り畳みを開いた際における表面外観図及び側面外観図である。図２（ａ）及び（ｂ）において、図１と同一の部分には、同一の符号を付してある。
【００３６】
携帯電話機１の表面側には表示装置１１とキー入力部１６が配置され、背面側にはカメラ１７が配置される。図１の折り畳み検知部１９は、図２（ａ）の１９ａと１９ｂにて示された部位に配置された検出判定装置によって構成される。例えば、１９ａで示された部位にマグネット（磁石）、１９ｂで示された部位に該マグネットからの磁気（磁力）を検出するための磁気検出器（磁力検出器）を備えることにより、上記検出判定装置（折り畳み検出部１９ａ）は構成される。以下、１９ａ及び１９ｂが、それぞれ、マグネットを備えたマグネット部及び磁気検出器を備えた磁気検出部であるとして説明を行う。矢印８０にて表される方向Ａについては、後述する。
【００３７】
表示装置１１は、左右に異なる情報（画像）を同時に表示する、所謂デュアル・ビュー表示機能を有している。デュアル・ビュー表示機能を有した、公知の表示装置１１の基本動作原理を、図３を用いて説明する。表示装置１１は、液晶表示パネル３１と、液晶表示パネル３１上に設けられたパララックスバリア（視差バリア；光学系分離素子）３２と、を有して構成される。尚、液晶表示パネル３１のパララックスバリア３２の反対側には、バックライト（不図示）が配置される。
【００３８】
液晶表示パネル３１は、２枚のガラス基板（不図示）の間に液晶層を注入することによって形成される。表示装置１１は、その液晶層に印加する電界の強さを調整することによってガラス基板を通過する光の量を調整し、所望の静止画像や動画像を表示する。液晶表示パネル３１は、縦横方向に複数の画素を備えて構成され、図３では、横方向（左右方向）に並ぶ、複数の画素３１ａ及び３１ｂを示している。画素３１ａと３１ｂは、横方向に１つずつ交互に配置される。
【００３９】
パララックスバリア３２は、不透明領域３３と透光性スリット３４とを横方向に交互に配列して構成される。パララックスバリア３２は、液晶表示パネル３１を介して表示装置１１の観察者に到達する光の光路上に配置される。
【００４０】
液晶表示パネル３１の画素３１ａを通過した光は、パララックスバリア３２の透光性スリット３４を介して、表示装置１１の表示面（該表示面は液晶表示パネル３１の面と平行である）に対し所定の視野角（以下、第１視野角という）に位置する観察者３５ａに到達する。一方、液晶表示パネル３１の画素３１ｂを通過した光は、パララックスバリア３２の透光性スリット３４を介して、表示装置１１の表示面に対し所定の視野角（以下、第２視野角という）に位置する観察者３５ｂに到達する。図３に示す如く、第１視野角と第２視野角は異なる視野角である。また、観察者３５ａ及び３５ｂは、共に携帯電話機１のユーザである。
【００４１】
ＲＡＭ１２ａは、画素３１ａ（画像３１ａの全部）によって表現される画像の画像データを格納し（記憶し）、ＲＡＭ１２ｂは、画素３１ｂ（画像３１ｂの全部）によって表現される画像の画像データを格納する（記憶する）。ＲＡＭ１２ａ及び１２ｂ（画像データ保持手段）に格納される画像データは、携帯電話機１のユーザの操作等に応じ、制御部１３によって更新される。
【００４２】
例えば、ある同一のタイミングにおいて、ＲＡＭ１２ａにはメールの作成画面が格納されて画素３１ａ（画像３１ａの全部）によって該メールの作成画面が表示される一方で、ＲＡＭ１２ａには上記作成画面とは異なるメールの受信画面が格納されて画素３１ｂ（画像３１ｂの全部）によって該メールの受信画面が表示される。
【００４３】
この場合、上記メールの作成画面は第１視野角の方向から視認され、上記メールの受信画面は第２視野角の方向から視認される。つまり、観察者３５ａ及び３５ｂの内、観察者３５ａのみによってメールの作成画面が視認され、観察者３５ｂのみによってメールの受信画面が視認される。
【００４４】
上記の例におけるメールの作成画面のような、観察者３５ａ及び３５ｂの内の観察者３５ａのみによって視認される画面を、以下、第１画面と呼び、上記の例におけるメールの受信画面のような、観察者３５ａ及び３５ｂの内の観察者３５ｂのみによって視認される画面を、以下、第２画面と呼ぶ。
【００４５】
制御部１３は、ＣＰＵ（Central Processing Unit）およびＣＰＵ上で実行されるプログラムによって実現され、ＲＡＭ１２ａ及び１２ｂの記憶データを制御することによって表示装置１１を制御する。さらに、制御部１３は、通信部１４、センサ１５、キー入力部１６、カメラ１７、メモリ１８及び折り畳み検知部１９を含む、携帯電話機１の各部の動作を制御する。また、制御部１３は、閾値比較部２１及び閾値設定部２２を有している。
【００４６】
通信部１４は、アンテナ、送受信部及び変復調部等を有して構成され、基地局（不図示）との間で無線通信を行う。携帯電話機１は、通信部１４を用いて他の電話機との間の通話が可能であり、また、更にインターネット網（不図示）などを介して、メールの送受信やＷｅｂ（World Wide Web）ページを参照可能である。また、更に他の携帯電話機との間で情報の送受信も可能である。
【００４７】
センサ１５は、所定の面に対する携帯電話機１の傾きを計測する傾きセンサ、或いは、携帯電話機１の加速度の大きさ及び向きを計測する加速度センサである。まず、センサ１５が傾きセンサであるとして説明を行う。
【００４８】
センサ１５が傾きセンサである場合、センサ１５は、公知の傾きセンサ（角度センサ）によって構成され、例えば、水平面（地面）に対する携帯電話機１の傾きを計測する。図４を参照してより具体的に説明する。図４（ａ）〜（ｃ）は、図２の矢印８０で表される方向Ａから見た携帯電話機１の概略外観図である。図４（ａ）中、上方側は表示装置１１が配置される携帯電話機１の表面側、下方側はカメラ１７が配置される携帯電話機１の裏面側である。破線８１は、水平面（地面）と平行な線である。
【００４９】
今、傾きセンサとしてのセンサ１５が計測すべき傾きの角度をθで表す。また、水平面（地面）に対する、携帯電話機１の傾きと表示装置１１の表示面の傾きは一致しているものとする（従って、双方の傾きの角度はθで表される）。
【００５０】
図４（ａ）は、表示装置１１の表示面と水平面（地面）が一致している状態を示しており、この状態における角度θはゼロである。図４（ｂ）は、携帯電話機１を、図４（ａ）の状態から、第１回転方向（例えば、反時計周り）に回転させた状態（即ち、左側に傾けた状態）を示しており、この状態において、角度θは正の角度を取るものとする。その回転は、携帯電話機１内を通る、携帯電話機１の長手方向と上記水平面の双方に平行な軸を中心として行われる。図４（ｃ）は、携帯電話機１を、図４（ａ）の状態から、上記軸を中心として第１回転方向とは反対の第２回転方向に回転させた状態（即ち、右側に傾けた状態）を示しており、この状態において、角度θは負の角度を取るものとする。
【００５１】
傾きセンサとしてのセンサ１５による、正負を含めた角度θの計測値は、所定時間ごとに、制御部１３の閾値比較部２１によって読み取られる。閾値比較部２１は、センサ１５から受け取った計測値と閾値設定部２２に設定されている所定の閾値との比較を行う。制御部１３は、その比較の結果に従って、ＲＡＭ１２ａ及び１２ｂを制御する（詳細は後述）。
【００５２】
キー入力部１６は、電話をかける場合に電話番号を入力するための０〜９の番号キーや通話を行うための通話キー等を含む複数のキーにて構成される。各キーは、例えば押しボタンスイッチからなり、それぞれを押し下げすることにより、それぞれに割り当てられた操作内容（情報）が制御部１３に伝達される。制御部１３は、キー入力部１６（操作受付手段）を介して受け取ったユーザの操作内容に従って、表示装置１１の表示内容の変更、カメラ１７による撮影、通信部１４を介した通信等の様々な処理を行う。
【００５３】
カメラ１７は、レンズ及び撮像素子（双方不図示）などで実現される、携帯電話機１の外景を撮影するための撮像手段である。キー入力部１６を操作することによって携帯電話機１の動作モードを、撮影を行うための撮影モードにした状態で、キー入力部１６に所定の操作を加えることによって静止画または動画の撮影が行われる。携帯電話機１は、上記撮影モードを含む複数の動作モードの何れかにて動作する。
【００５４】
メモリ１８は、カメラ１７の撮影によって得られた画像データや、通信部１４を介して送受信した情報、登録された電話番号などを記憶する。
【００５５】
折り畳み検知部１９は、筐体２の表面側に固定されたマグネット１９ａ及び磁気検出部１９ｂを備えて構成され（図２（ａ）参照）、携帯電話機１の筐体２が、折り畳まれた状態にあるか或いは開いた状態（折り畳まれていない状態）にあるかを検知するための部位である。筐体２が開いた状態にある場合、磁気検出部１９ｂとマグネット部１９ａは接近しておらず、磁気検出部１９ｂはマグネットによる磁気を検出しないのでオフであるが、筐体２が折り畳まれるとマグネット部１９ａが磁気検出部１９ｂに接近し磁気検出部１９ｂが磁気を検出してオンとなる。磁気検出部１９ｂのオンまたはオフを特定する信号は制御部１３に伝達され、制御部１３は筐体２の折り畳み状態を認知する。
【００５６】
制御部１３は、第１画面に表示しようとする画像の画像データをＲＡＭ１２ａに格納し、表示装置１１はＲＡＭ１２ａから該画像データを読み出すことによって第１画面を表示する。同様に、制御部１３は、第２画面に表示しようとする画像の画像データをＲＡＭ１２ｂに格納し、表示装置１１はＲＡＭ１２ｂから該画像データを読み出すことによって第２画面を表示する。ＲＡＭ１２ａ及び１２ｂは、次の画像データが与えられるまで現在格納している画像データを保持する。
【００５７】
制御部１３は、第１画面と第２画面との内、何れか一方の画面をアクティブ画面とし、他方の画面を非アクティブ画面とする。
【００５８】
アクティブ画面は、現在選択されている画面を意味し、キー入力部１６を介した操作等に応じて、制御部１３はアクティブ画面の表示画像を更新してゆく。例えば、図５（ａ）に示す如く、第１画面に「暗証番号を入力してください」という記述がなされた画像が表示され、且つ、図５（ｂ）に示す如く、第２画面に「電話番号を入力してください」という記述がなされた画像が表示されている場合を考える。第１画面（第１画面が割り当てられたタスク）は、ユーザに、何らかの暗証番号の入力を要求している。第２画面（第２画面が割り当てられたタスク）は、ユーザに、何らかの電話番号の入力を要求している。
【００５９】
ここで、ユーザがキー入力部１６を用いて「５５５」という数字を入力したとする。この場合において、第１画面がアクティブ画面となっているときは、制御部１３は入力された「５５５」を電話番号でなく暗証番号として捉えて、図６に示す如く、第１画面上に「５５５」の数値を表示する（第２画面上には「５５５」の数値は表示されない）。逆に、第２画面がアクティブ画面となっているときは、制御部１３は入力された「５５５」を暗証番号でなく電話番号（電話番号の一部）として捉えて、第２画面上に「５５５」の数値を表示する（第１画面上には「５５５」の数値は表示されない）。
【００６０】
つまり、第１及び第２画面を、単一の表示装置１１に同時表示されたマルチウィンドウ（複数ウィンドウ）として取り扱い、キー入力部１６（操作受付手段）を用いた操作を、現在選択されているアクティブ画面（第１及び第２画面の何れか）に対する操作として取り扱う。
【００６１】
上記の例において、第１画面が割り当てられたタスクは暗証番号の入力を要求し、第２画面が割り当てられたタスクは電話番号の入力を要求している。つまり、制御部１３は、第１画面と第２画面の夫々に、互いに異なるタスクを割り当ててマルチタスク動作を行うことが可能である。
【００６２】
また例えば、携帯電話機１が動画表示機能やテレビ受信機能を備えている場合は、動画や通信部１４を介して受信したテレビ映像が、アクティブ画面に表示される（動画やテレビ映像に従って、アクティブ画面に対応するＲＡＭ（１２ａまたは１２ｂ）の記憶データが次々と更新されていく）。
【００６３】
制御部１３は、閾値比較部２１による比較結果に基づいて、アクティブ画面の選択を行う。具体的には、閾値設定部２２に設定された閾値（単位は度であって、極性は正。例えば２０度。）と、センサ１５によって計測された角度θとの比較を行い、角度θが正であって且つ角度θの大きさが閾値以上となっている場合、第１画面をアクティブ画面として選択する。つまり、アクティブ画面が第２画面となっているときにはアクティブ画面を第１画面に切替え、アクティブ画面が第１画面となっているときにはアクティブ画面を第１画面に維持する。
【００６４】
一方、角度θが負であって且つ角度θの大きさが閾値以上となっている場合、第２画面をアクティブ画面として選択する。つまり、アクティブ画面が第１画面となっているときにはアクティブ画面を第２画面に切替え、アクティブ画面が第２画面となっているときにはアクティブ画面を第２画面に維持する。角度θの大きさが閾値未満の場合は、アクティブ画面の切替えは行われない。上記のような、閾値比較部２１の比較結果に基づくアクティブ画面の自動的な選択動作（或いは、後述する、加速度センサを用いた場合における閾値比較部２１の比較結果に基づくアクティブ画面の自動的な選択動作）を、「アクティブ画面の自動選択動作」と呼ぶ。
【００６５】
また、キー入力部１６を用いて、ユーザが上記閾値を任意の値に変更することが可能となっている。この変更を行う際におけるキー入力部１６（及び閾値設定部２２）は、閾値設定手段として機能する。尚、ユーザによる閾値の変更を受けていない状態では、予め閾値設定部２２に格納された初期値が、閾値比較部２１にて閾値として利用される。
【００６６】
また、ＲＡＭ１２ａ及び１２ｂは、次の画像データが与えられるまで現在格納している画像データを保持しているのであるから、ＲＡＭ１２ａまたは１２ｂには、非アクティブ画面に表示すべき画像の画像データとして与えられた最新の画像データが保持されることになり、非アクティブ画面には、その最新の画像データによる画像が表示されることになる。つまり例えば、第１画面の表示内容が図５（ａ）から図６のように遷移している間、第２画面の表示内容は図５（ｂ）の状態で保持される。ユーザは、携帯電話機１を傾けることにより、アクティブ画面と非アクティブ画面に映る双方の画像を見ることができる。
【００６７】
また、制御部１３は、アクティブ画面に表示している画像を、非アクティブ画面に転送する画像転送機能を備えている。
【００６８】
例えば、アクティブ画面として選択されている第１画面に、図７に示す如く、「１月１０日１５時３０分か、１月１２日１４時００分でお願いします」という記述がなされたメールの受信画面の画像が表示されている場合を想定する。このメールに対する応答メール（返信メール）を作成する場合、ユーザはキー入力部１６に所定の操作を施す。
【００６９】
この操作により、携帯電話機１の動作モードは、他の携帯電話機等に対して送信すべきメールを作成するメール作成モードに移行し、アクティブ画面である第１画面は、送信すべきメールの記述内容を待ち受ける表示画面になる。また、これと同時に、ＲＡＭ１２ａに格納されている画像データがＲＡＭ１２ｂに転送され、非アクティブ画面である第２画面に、上記メールの受信画面の画像が表示される。
【００７０】
この状態において、キー入力部１６を用いて文言を入力することにより、該文言が第１画面に表示されていくことになるが、非アクティブ画面に受信メールの記述内容が表示されているため、返信メールの作成中に、携帯電話機１を傾けるだけで受信メールの記述内容を参照することが可能となる。
【００７１】
上記の画像転送機能は、様々な状況にて利用可能であり、ユーザの操作等によって任意に実行可能となっている。例えば、アクティブ画面に表示されていたＷｅｂページを非アクティブ画面に転送し、そのＷｅｂページを参照しつつ、アクティブ画面上でメールの作成を行うなどといった利用も可能である。
【００７２】
また、画像転送において、画像だけでなく画像に付随するリンクの情報なども、そのまま非アクティブ画面に転送するようにするとよい。
【００７３】
また、キー操作部１６を用いたアクティブ画面上の操作にて、非アクティブ画面の表示画像は変化し得る。例えば、アクティブ画面に、図８（ａ）のような、カメラ１７にて撮影した画像を選択するための項目表示がなされている場合、自動的に非アクティブ画面に、図８（ｂ）のような、現在選択されている項目に対応する撮影画像が表示される。そして、キー入力部１６の上下キー（不図示）を用いて選択項目を変えると、それに従って非アクティブ画面に表示される撮影画像が変化してゆく。
【００７４】
また、キー入力部１６を用いて所定の操作を施すことにより、携帯電話機１の動作モードは共同作業モードに移行する。共同作業モードでは、複数の携帯電話機間の通信を利用する。例えば、図９に示す如く、携帯電話機１と、携帯電話機１と基地局を介して通信可能な携帯電話機５１と、を考える。携帯電話機５１は、携帯電話機１と同じものである。
【００７５】
そして、携帯電話機１と５１を、それらの間で通信が可能な状態にしておいて、携帯電話機１及び５１の動作モードを共同作業モードにすると、携帯電話機１のアクティブ画面（図１０（ａ）の画面６１に相当）が携帯電話機５１の非アクティブ画面（図１０（ｄ）の画面６４に相当）に表示され、携帯電話機５１のアクティブ画面（図１０（ｃ）の画面６３に相当）が携帯電話機１の非アクティブ画面（図１０（ｂ）の画面６２に相当）に表示されるように、携帯電話機１及び５１の各制御部１３は、ＲＡＭ１２ａ及び１２ｂを制御する。携帯電話機１（または５１）の制御部１３は、携帯電話機５１（または１）のアクティブ画面の表示画像が変化すれば、それに従って、携帯電話機１（または５１）の非アクティブ画面の表示画像を変化させる。
【００７６】
このような共同作業モードを利用すれば、複数のユーザによる共同作業を容易に行うことが可能となる。
【００７７】
また、携帯電話機１の動作モードを撮影モードにして、カメラ１７を構成するレンズ（不図示）に正対する被写体（撮像対象）の撮影を行う場合、現在の被写体（撮像対象）を表す画像はアクティブ画面に表示される。ユーザは、このアクティブ画面に表示された画像を確認しつつ撮影を行うのが通常である。従って、撮影モードにおいて、アクティブ画面を切替えるために携帯電話機１を傾けるといったことは、画像確認の観点から、通常行い難い。
【００７８】
これを考慮し、携帯電話機１の動作モードが撮影モード以外の動作モードから撮影モードに移行した際、アクティブ画面の自動選択動作の実行は、自動的に禁止される（停止される）。但し、キー操作部１６を用いた所定の操作によって、撮影モードにおいても、アクティブ画面の自動選択動作が実行されるようにすることは可能である。
【００７９】
撮影モードにおいて、制御部１３は、非アクティブ画面に、アクティブ画面に表示される画像とは異なる、直前に撮影した画像またはユーザが設定した画像を表示する。非アクティブ画面に表示されるそれらの画像は、メモリ１８から、或いは、通信部１４を介して外部から取り込まれる。
【００８０】
例えば、非アクティブ画面に直前の撮影画像を表示することによりユーザはパノラマ画像作成の補助を得ることができる。また例えば、非アクティブ画面に写真教本の画像を表示させて撮影画像の構図の参考とする、といった利用法も考えられる。
【００８１】
また、表示装置１１は、単一の画面のみを表示することも可能である。制御部１３は、表示装置１１並びにＲＡＭ１２ａ及び１２ｂを制御することにより、表示装置１１を、第１及び第２画面を同時表示する複数画面表示モード、および、単一の画面のみを表示する単画面表示モードの何れかの表示モードにて動作させる。
【００８２】
単画面表示モードでは、液晶表示パネル３１における画素３１ａ及び３１ｂ（図３参照）の双方を用いて上記単一の画面が構成され、該単一の画面は、観察者３５ａ及び３５ｂの双方によって視認可能である。
【００８３】
表示装置１１をどちらの表示モードで動作させるかは、キー入力部１６を用いた操作によって決定可能（選択可能）である。この場合、キー入力部１６（及び制御部１３）は、表示モード選択手段として機能する。
【００８４】
また、表示装置１１の表示モードを、ワンタッチで切替えることができるワンタッチキー（不図示）をキー入力部１６に備えるようにしても良い。該ワンタッチキーは、例えば押しボタンスイッチにて構成され、該ワンタッチキーを押下するごとに、表示装置１１の表示モードが複数画面表示モードと単画面表示モードとの間で切替わるようにする。
【００８５】
また、キー入力部１６（自動手動変更手段）に対して所定の操作を行うことにより、アクティブ画面の自動選択動作の実行が禁止され、キー入力部１６を用いたユーザによる手動の操作でアクティブ画面を任意に選択できるようになる。その手動の操作にてアクティブ画面を選択すると、アクティブ画面が選択された第１画面または第２画面に固定され、他方の画面が非アクティブ画面に固定される。
【００８６】
また、折り畳み検知部１９（及び制御部１３）によって、携帯電話機１の筐体２が折り畳まれていることが検知されると（例えば、筐体２が折り畳まれていない状態から筐体２が折り畳まれている状態に遷移すると）、制御部１３は、自動的に表示装置１１の表示モードを単画面表示モードにする。この場合は、折り畳み検知部１９及び制御部１３が、表示モード選択手段として機能することになる。
【００８７】
次に、図１１を参照して、携帯電話機１の動作の流れを例示する。まず、携帯電話機１の電源をオンにして携帯電話機１を起動させると、表示装置１１の表示モードは単画面表示モードとなる（ステップＳ１）。ユーザは、キー入力部１６を用いた操作により、上記閾値を設定する（ステップＳ２）。この閾値の設定は、ユーザによる閾値の設定が一度も行われていない場合、或いは、キー入力部１６を用いた操作によりユーザが閾値の設定を望んだ場合に行われる。設定された閾値は、閾値設定部２２に格納される。
【００８８】
その後、ステップＳ３において、ユーザはキー入力部１６を用いて、表示装置１１の表示モードを単画面表示モード及び複数画面表示モードのどちらにするかを決定する。複数画面表示モードが選択された場合、表示装置１１の表示モードを複数画面表示モードにしてステップＳ４に移行する。そして、ステップＳ４でタイマがリセットされてから、ステップＳ５に移行する。該タイマは、例えば、制御部１３を実現する上記ＣＰＵ内に設けられており、具体的には、ステップＳ４において、ステップＳ４からステップＳ５に移行して時点からの経過時間を表すタイマ変数ｔをゼロとする。
【００８９】
ステップＳ４の後、閾値比較部２１は、予め定められたＴ秒が経過するごとにセンサ１５から計測値を読み取り、上記アクティブ画面の自動選択動作に従って、アクティブ画面を切替えることになる。上述の如く、アクティブ画面は操作可能であるが、非アクティブ画面に対する操作は不可となる。
【００９０】
ステップＳ５では、上記アクティブ画面の自動選択動作に従って、アクティブ画面を切替える。ステップＳ５の後のステップＳ６において、撮影モードに移行したか（カメラ１７が起動したか）どうかが確認され、撮影モードに移行していない場合はステップＳ７に移行して、タイマ変数ｔによって表される上記経過時間とＴとが比較される。ｔ≧Ｔが成立する場合はステップＳ８に移行し、ｔ≧Ｔが成立しない場合はステップＳ７の処理が繰り返される。
【００９１】
ステップＳ８において、筐体２の折り畳みが検知された場合は、表示装置１１の表示モードは単画面表示モードに戻され（ステップＳ９）、そうでない場合はステップＳ４に戻る。また、携帯電話機１の電源がオフとされた場合も、単画面表示モードに戻される。
【００９２】
ステップＳ６において、撮影モードへの移行が確認されると（ステップＳ６のＹ）、ステップＳ１１に移行して、上記アクティブ画面の自動選択動作の実行は禁止され、且つ、表示装置１１の表示モードは単画面表示モードとなる。
【００９３】
撮影モードであっても、複数画面表示モードに移行するための操作が行われたときは、複数画面表示モードに移行する（ステップＳ１２）。但し、アクティブ画面の自動選択動作の実行は禁止されたままである。その場合、アクティブ画面を、キー入力部１６を用いた操作により任意に選択可能であり、選択された画面がアクティブ画面として固定される。非アクティブ画面には、直前の撮影画像等が表示される。撮影モードが終了して他の動作モードに移行すると、例えばステップＳ１に戻る（ステップＳ１３）。
【００９４】
次に、センサ１５が携帯電話機１の加速度の大きさ及び向きを計測する加速度センサである場合について説明する。センサ１５が加速度センサである場合、センサ１５は、公知の加速度センサによって構成されるため、その詳細な構成の説明を割愛する。
【００９５】
センサ１５が傾きセンサである場合と同様、加速度センサ（センサ１５）の計測値は、所定時間ごとに制御部１３の閾値比較部２１によって読み取られる。そして、センサ１５が傾きセンサである場合と同様、閾値比較部２１は、センサ１５から受け取った計測値と閾値設定部２２に設定されている所定の閾値との比較を行い、制御部１３は、その比較の結果に従って、ＲＡＭ１２ａ及び１２ｂを制御する。
【００９６】
図１２は、携帯電話機１の上面概観図である。ユーザは、図１２に示す如く、携帯電話機１を、矢印８５で表される左方向に振る、或いは、矢印８６で表される右方向に振ることによって、アクティブ画面の切替えを行う。
【００９７】
制御部１３は、閾値比較部２１による比較結果に基づいて、アクティブ画面の選択を行う。具体的には、閾値設定部２２に設定された閾値（単位は［ｍ／ｓ2］あって、極性は正）と、センサ１５によって計測された加速度（以下、加速度Ｋという）の大きさとの比較を行い、加速度Ｋの向きが第１方向（例えば、矢印８５で表される左方向）であって且つ加速度Ｋの大きさが閾値以上である場合、第１画面をアクティブ画面として選択する。つまり、アクティブ画面が第２画面となっているときにはアクティブ画面を第１画面に切替え、アクティブ画面が第１画面となっているときにはアクティブ画面を第１画面に維持する。
【００９８】
一方、加速度Ｋの向きが第１方向とは反対の第２方向（例えば、矢印８６で表される右方向）であって且つ加速度Ｋの大きさが閾値以上である場合、第２画面をアクティブ画面として選択する。つまり、アクティブ画面が第１画面となっているときにはアクティブ画面を第２画面に切替え、アクティブ画面が第２画面となっているときにはアクティブ画面を第２画面に維持する。加速度Ｋの大きさが閾値未満の場合は、アクティブ画面の切替えは行われない。
【００９９】
尚、「携帯電話機１の振り方によっては、短時間に（例えば、０．１秒）連続してアクティブ画面の切替えが行われる」といったことを防止すべく、制御部１３は、センサ１５の計測値に拘らず、アクティブ画面の切替えが所定時間（例えば、０．５秒）以内に複数回起こらないようにする。
【０１００】
また、加速度Ｇの大きさのみに基づいてアクティブ画面の自動選択動作を行うことも可能である。例えば、加速度Ｇの向きに関係なく、上記閾値以上の加速度Ｇの大きさが検出されるたびに、アクティブ画面を第１画面と第２画面の間で切替えるようにする。
【０１０１】
センサ１５として加速度センサを用いた場合、上記のように、閾値比較部２１の比較結果に基づくアクティブ画面の自動的な選択動作（アクティブ画面の自動選択動作）が行われ、携帯電話機１における他の動作は、センサ１５として傾きセンサを用いた場合におけるそれと同様となる。
【０１０２】
尚、センサ１５に傾きセンサとしての機能と加速度センサとしての機能の双方を持たせるようにし、傾きセンサの計測値と加速度センサの計測値の双方に基づいて、アクティブ画面の自動選択を行うようにしてもよい。
【０１０３】
上記のように、１つの表示装置１１で複数の画面を表示することにより、携帯型電子機器の例としての携帯電話機１を小さく保ったまま多画面表示が可能となる。これにより、従来の携帯電話機では難しかったマルチウィンドウ（マルチタスク）での作業が高速に且つ容易に行えるようになる。それに加え、センサ１５によるアクティブ画面の自動選択動作により、ユーザにとっての容易な画面操作を実現する。
【０１０４】
また、携帯電話機１は複数の画面を同時に表示してマルチタスク動作を行うことができるのではあるが、同一のタイミングにおいてアクティブとなっている画面は１つ（ユーザが見ている画面のみ）であるため、表示画面制御のためのプロセッサは１画面分で済む。
【０１０５】
また、非アクティブ画面の表示内容を常に保存しておくことにより、その画面を参照して作業を行うことが容易となる。例えば、上述の如く、受信メールやＷｅｂページを参照しながらのメール作成の容易化や多ユーザによる共同作業の容易化が期待できる他、カメラ撮影時の補助を得るといった幅広い利用が可能となる。
【０１０６】
＜＜変形等＞＞
上記実施形態では、液晶表示パネル３１を通過した光をパララックスバリア３２で左右方向に分けることで、第１画面と第２画面の２つの画面を同時表示可能な携帯電話機１を例示したが、上記実施形態の内容は、３以上の画面を同時表示可能な携帯型電子機器（携帯電話機等）にも適用可能である。例えば、液晶表示パネルを通過した光をパララックスバリアで上下左右に分けることで、互いに表示内容が異なる４つの画面を同時表示可能な携帯型電子機器を構成することができる。
【０１０７】
また、携帯型電子機器として、携帯電話機を例に挙げて本発明の実施形態を上述したが、本発明（上述の実施の形態にて示した技術）は、携帯電話機の他、携帯情報端末、デジタルビデオカメラ及びデジタルスチルカメラ等の様々な携帯型電子機器（携帯端末）に広く適用することができる。
【図面の簡単な説明】
【０１０８】
【図１】本発明の実施の形態に係る携帯電話機の概略構成ブロック図である。
【図２】図２は、図１の携帯電話機の外観図である。
【図３】図１の表示装置の基本動作原理を説明するための図である。
【図４】図１の携帯電話機の傾きとの関係における、図１のセンサ等の動作を説明するための図である。
【図５】図１の表示装置の表示画面例を示す図である。
【図６】図１の表示装置の表示画面例を示す図である。
【図７】図１の表示装置の表示画面例を示す図である。
【図８】図１の表示装置の表示画面例を示す図である。
【図９】図１の携帯電話機と他の携帯電話機との通信接続状態を示す図である。
【図１０】図９の２つの携帯電話機の表示画面例を示す図である。
【図１１】図１の携帯電話機の動作例を示すフローチャートである。
【図１２】図１の携帯電話機の加速度との関係における、図１のセンサ等の動作を説明するための図である。
【符号の説明】
【０１０９】
１  携帯電話機
２  筐体
１１  表示装置
１２ａ、１２ｂ  ＲＡＭ
１３  制御部
１４  通信部
１５  センサ
１６  キー入力部
１７  カメラ
１８  メモリ
１９  折り畳み検知部
１９ａ  マグネット部
１９ｂ  磁気検出部
２１  閾値比較部
２２  閾値設定部
３１  液晶表示パネル
３１ａ、３１ｂ  画素
３２  パララックスバリア
３３  不透明領域
３４  透光性スリット
【図１】
2007206108.tif 000003
【図２】
2007206108.tif 000004
【図３】
2007206108.tif 000005
【図４】
2007206108.tif 000006
【図５】
2007206108.tif 000007
【図６】
2007206108.tif 000008
【図７】
2007206108.tif 000009
【図８】
2007206108.tif 000010
【図９】
2007206108.tif 000011
【図１０】
2007206108.tif 000012
【図１１】
2007206108.tif 000013
【図１２】
2007206108.tif 000014